(57)【要約】【課題】  通信ソフトウェアサーバの操作を必要とせず、かつ該当する通信端末の場所まで行く必要がないようにして、短時間で通信ソフトウェの変更ができるようにする。【解決手段】  通信端末４ａによって使用したい無線名を選択して選択ボタンをクリックすると、通信端末４ａから管理端末６へ使用したい無線名が通知される。管理端末６からソフトウェア無線機１に対して、ダウンロードしたい通信プログラム名を指示すると、ソフトウェア無線機１は通信ソフトウェアサーバ３から所望の通信ソフトウェアをダウンロードする。ソフトウェア無線機１はダウンロードを完了して該当する無線機能の準備が完了した旨を管理端末６へ通知する。管理端末６が端末情報ファイル６ｃを通信端末４ａへ送信すると、通信端末４ａは端末情報ファイル６ｃに記述された通信端末プログラムを起動し、ソフトウェア無線機１と通信を開始する。これにより、通信端末４ａであらかじめ通信プログラムを起動しておく必要がなくなる。【選択図】      図１
2005151488.tif 000002
【特許請求の範囲】
【請求項１】
ネットワークを介して、ソフトウェア無線機、通信ソフトウェアサーバ、及び通信端末が通信接続され、前記ソフトウェア無線機が前記通信ソフトウェアサーバから通信ソフトウェアをダウンロードして通信を実行する無線通信システムであって、
無線機情報ファイルの作成及び保存、無線機使用状況ファイルの管理、及び端末情報ファイルの管理と前記通信端末への送信の各機能を実現させる管理端末を備え、
前記通信端末が所望の無線機名を選択したとき、前記管理端末は、前記無線機名に対応する通信ソフトウェアを通信ソフトウェアサーバから前記ソフトウェア無線機へダウンロードし、通信端末と前記ソフトウェア無線機との間の通信を開始させることを特徴とする無線通信システム。
【請求項２】
複数の通信モジュールが並列冗長の構成で接続されている無線機であって、
前記複数の通信モジュールのうち何れかの通信モジュールに障害が発生したとき、障害の発生していない他の通信モジュールへ通信系統を切り替える切替判断モジュールを備え、
前記切替判断モジュールは、何れかの通信モジュールに障害が発生したとき、前記複数の通信モジュールのうち通信用途の優先順位が最も低く、かつ未使用の通信モジュールへ通信系統を切り替えることを特徴とする無線通信システム。
【発明の詳細な説明】
【技術分野】
【０００１】
本発明は、通信端末及び通信ソフトウェアサーバにＬＡＮ接続されたソフトウェア無線機が通信ソフトウェアサーバから通信ソフトウェアを最適にダウンロードする方法を実現させる無線通信システムと、この無線通信システムに障害が発生したときに適正に通信系統の切替機能を実現させる無線通信システムに関するものである。
【背景技術】
【０００２】
図７は従来の無線通信システムの構成を示すブロック図である。図７に示すように、従来の無線通信システムは、ソフトウェア無線機１，２、通信ソフトウェアサーバ３、及び通信端末４ａ，４ｂ…４ｎがＬＡＮ５に接続された構成となっている。ソフトウェア無線機１，２は、ＬＡＮ５を介して、通信ソフトウェアサーバ３からの指示により、チャネル（ＣＨ）ごとに無線機の機能として必要な通信ソフトウェアを通信ソフトウェアサーバ３から取得する。そして、ソフトウェア無線機１，２は、取得した通信ソフトウェアを起動することによって無線機としての機能を実現する。図７の例では、ソフトウェア無線機１のＣＨ１は機能Ａ用無線ソフトウェアを取得して機能Ａとして動作し、ＣＨ２は機能Ｃ用無線ソフトウェアを取得して機能Ｃとして動作している。
【０００３】
通信端末４ａ，４ｂ…４ｎは、各通信端末ごとにあらかじめ設定された接続先のソフトウェア無線機及びＣＨ番号に該当する端末プログラムを起動することによって通信端末として機能するこができる。例えば、ソフトウェア無線機１のＣＨ１の接続先である通信端末４ａでは機能Ａ用端末プログラム及び機能Ｂ用端末プログラムを起動させ、機能Ａ及び機能Ｂとして動作することとなる。また、通信を行う者は、自分の使用したい端末プログラムが起動している通信端末４ａ，４ｂ…４ｎのある場所まで行き、ＬＡＮ５を介してソフトウェア無線機１，２とデータ通信又は音声通信を行うこととなる。
【０００４】
尚、上記の技術に関連する先行公報としては、例えば、下記の特許文献１及び特許文献２などがある。特許文献１には、ＤＳＰ（Digital Signal Processor）による無線機の通信方式切替方法に関する技術が開示されている。この技術によれば、プログラマブルデバイスのハードウェアリソースを他の信号処理に割り当てることができるのでプログラマブルデバイスの効率的利用が可能となり、結果的にチャネル符号誤り率の最小化を実現することができる。また、特許文献２には、複数のリソースを共有するシステムにおいて、その使用状況を管理端末が把握・表示する情報処理技術が開示されている。この技術によれば、ネットワークにおけるトラフィックの不必要な増大、及び主装置側における負荷の不必要な増大を防止することができる。
【特許文献１】特開２００２−２５２５８０号公報（段落番号００２２〜００４７、及び図１〜図７参照）
【特許文献２】特開平１１−３０５９０１号公報（段落番号００２１〜００５６、及び図１〜図４参照）
【発明の開示】
【発明が解決しようとする課題】
【０００５】
しかしながら、図７に示すような従来の無線通信システムにおいては、通信端末を使用する上でソフトウェア無線機に以下のような問題が発生する。一つ目は、ソフトウェア無線機に設定されている通信プログラムを変更する場合には通信ソフトウェアサーバを操作しなければならないため、通信ソフトウェアを起動してソフトウェア無線機を無線機としての機能させるためには相当の時間を要する。二つ目は、ユーザが所望する機能に該当する通信端末の場所まで行って該当する機能用端末プログラムを起動する必要があるため、所望する通信機能を実現させるためには相当の手間と時間がかかる。また、上記の特許文献１及び特許文献２の技術においては、通信プログラムを変更する場合の処理方法については何ら開示されていないので、これらの技術からでは依然として通信プログラム変更時における時間の短縮化及び簡素化を実現することはできない。
【０００６】
本発明は、以上のような問題点に鑑みてなされたものであり、ソフトウェア無線機に設定されている通信プログラムを変更する場合に、通信ソフトウェアサーバの操作を必要とせず、かつ該当する通信端末の場所まで行く必要がないようにして、短時間で通信ソフトウェの変更ができるような無線通信システムを提供することを目的とする。併せて、ソフトウェア無線機の何れかの通信モジュールに障害が発生した場合に、通信内容の優先度に応じて正常な通信モジュールへの切り替えができるような無線通信システムを提供することを目的とする。
【課題を解決するための手段】
【０００７】
本発明は上記の目的を達成するために創案されたものであり、請求項１に記載の無線通信システムは、ネットワークを介して、ソフトウェア無線機、通信ソフトウェアサーバ、及び通信端末が通信接続され、ソフトウェア無線機が通信ソフトウェアサーバから通信ソフトウェアをダウンロードして通信を実行する無線通信システムであって、無線機情報ファイルの作成及び保存、無線機使用状況ファイルの管理、及び端末情報ファイルの管理と通信端末への送信の各機能を実現させる管理端末を備え、通信端末が所望の無線機名を選択したとき、管理端末は、無線機名に対応する通信ソフトウェアを通信ソフトウェアサーバからソフトウェア無線機へダウンロードし、通信端末とソフトウェア無線機との間の通信を開始させることを特徴とする。
【０００８】
本発明の無線通信システムによれば、ユーザが通信端末によって使用したい無線名を選択すると、通信端末から管理端末へ使用したい無線名が通知される。そして、管理端末からソフトウェア無線機に対してダウンロードしたい通信プログラム名を指示すると、ソフトウェア無線機は通信ソフトウェアサーバから所望の通信ソフトウェアをダウンロードする。すると、ソフトウェア無線機はダウンロードを完了して該当する無線機能の準備が完了した旨を管理端末へ通知する。これによって、管理端末が端末情報ファイルを通信端末へ送信すると、通信端末は端末情報ファイルに記述された通信端末プログラムを起動してソフトウェア無線機と通信を開始する。このような処理によって、ユーザは通信端末であらかじめ通信プログラムを起動しておく必要がなくなる。
【０００９】
また、請求項２に記載の無線通信システムは、複数の通信モジュールが並列冗長の構成で接続されている無線機であって、複数の通信モジュールのうち何れかの通信モジュールに障害が発生したとき、障害の発生していない他の通信モジュールへ通信系統を切り替える切替判断モジュールを備え、この切替判断モジュールは、何れかの通信モジュールに障害が発生したとき、複数の通信モジュールのうち通信用途の優先順位が最も低く、かつ未使用の通信モジュールへ通信系統を切り替えることを特徴とする。
【００１０】
本発明の無線通信システムによれば、無線機が複数の通信モジュールの並列冗長によって接続されているとき、あらかじめ、それらの通信モジュールの通信内容に対して優先順位を決めておく。そして、無線機の何れかの通信モジュールに障害が発生した場合には、通信内容の優先度に応じて正常な通信モジュールへの切り替えができる。例えば、最も優先順位の高い通信モジュールに障害が発生したときには、未使用中の通信モジュールであって最も優先順位の低い通信モジュールへ通信系統を切り替えて障害の発生した通信モジュールの通信内容を継続させる。これによって、通信の運用効率を向上させることができると共に無線通信システム全体の信頼性を向上させることができる。
【発明の効果】
【００１１】
本発明の無線通信システムによれば、通信端末からソフトウェア無線機に設定されている通信プログラムを任意の変更することができる。これによって、通信端末からユーザが操作していた端末プログラムの起動操作が不要となる。さらに、本発明の無線通信システムによれば、障害の発生した通信モジュールを優先度に応じて正常な通信モジュールと切り替えるので、柔軟で信頼性の高い無線機システムを組むことができると共に無線機を追加することによって多チャンネルの無線機システムとして運用することができる。また、通信モジュールに故障が発生した際にも重要な通信に影響を与えずに修理や交換を行うことができるので通信の運用には殆ど影響を与えることがない。これによって、通信の運用が停止することによる損失を防ぐことができると共に、単純な待機系システム（現用・予備系システム）に比べてハードウェアリソースを有効に活用することができる。
【発明を実施するための最良の形態】
【００１２】
以下、図面を参照しながら、本発明の無線通信システムにおける通信ソフトウェアのダウンロードの方法に関する実施の形態を詳細に説明する。図１は本発明における無線通信システムの構成を示すブロック図である。図１に示すように、本発明の無線通信システムは、図７に示す従来の無線通信システムに対して管理端末６が追加された構成となっている。すなわち、本発明の無線通信システムは、ソフトウェア無線機１，２、通信ソフトウェアサーバ３、通信端末４ａ，４ｂ…４ｎ、及び管理端末６がＬＡＮ５に接続された構成となっている。また、管理端末６は、無線機情報ファイル６ａ、無線機使用状況ファイル６ｂ、及び端末情報ファイル６ｃを備えている。
【００１３】
図１に示す本発明の無線通信システムは、図７の従来技術と同様に、ソフトウェア無線機１，２が、ＬＡＮ５を介して、通信ソフトウェアサーバ３からの指示により、チャネル（ＣＨ）ごとに無線機の機能として必要な通信ソフトウェアを通信ソフトウェアサーバ３から取得する。そして、ソフトウェア無線機１，２は、取得した通信ソフトウェアを起動することによって無線機としての機能を実現する。図１の例では、ソフトウェア無線機１のＣＨ１は機能Ａ用無線ソフトウェアを取得して機能Ａとして動作し、ＣＨ２は機能Ｃ用無線ソフトウェアを取得して機能Ｃとして動作している。また、ソフトウェア無線機２のＣＨ１は機能Ａ用無線ソフトウェアを取得して機能Ａとして動作し、ＣＨ２は機能Ｂ用無線ソフトウェアを取得して機能Ｂとして動作している。さらに、通信端末４ａ，４ｂ…４ｎは、各通信端末ごとにあらかじめ設定された接続先のソフトウェア無線機及びＣＨ番号に該当する端末プログラムを起動することによって通信端末として機能するこができる。例えば、ソフトウェア無線機１のＣＨ１の接続先である通信端末４ａでは機能Ａ用端末プログラムを起動させて機能Ａとして動作することとなる。
【００１４】
そして、本発明の無線通信システムでは、さらに、管理端末６をシステムに加えることによって、（１）無線機情報ファイルの作成・保存、（２）無線機使用状況ファイルの管理、（３）端末情報ファイルの管理及び通信端末への送信、といった各種の機能を実現している。以下、これらの機能について詳細に説明する。
【００１５】
＜無線機情報ファイルの作成・保存＞
図２は、本発明の無線通信システムにおいて管理端末に作成・保存される無線機情報ファイルの構成を示す図である。すなわち、管理端末６は、図２に示すような内容の無線機情報ファイル６ａを編集して保存する機能を有している。無線機情報ファイル６ａの内容は、「無線名」、「ソフトウェア名」、「バンド」、「周波数」、「端末プログラム名」、及び「優先順位」の各項目ごとに図２の表に示すように区分されて決められている。また、優先順位は「項番」によって序列化され、それぞれの項番ごとに「項目」及び「概要」が表示されている。例えば、優先順位の「項番」“１位”の「項目」は『無線名』であり、「概要」は『通信端末の使用者に分かりやすい任意の名前』となっている。管理端末６は、図２に示すような無線機情報ファイルの内容に従い、ソフトウェア無線機１，２に対して通信ソフトウェアのダウンロードの指示を行い、通信端末４ａ，４ｂ…４ｎに対して無線機の使用状況の送信を行う。
【００１６】
尚、管理端末６は、図２に示すように、周波数バンドが異なるごとに異なった無線名を割り付けることができる。また、周波数バンドが同一でも異なった無線名を割り付けることもできる。さらに、本発明の無線通信システムにおいては、電源投入時の無線通信システムの起動時において、管理端末６は優先順位の高い無線名から順次にソフトウェア無線機１，２に対して所望の通信ソフトウェアを設定する。また、本発明の無線通信システムでは、音声データはＶＯ１Ｐにてソフトウェア無線機と通信端末との間で通信を行う。
【００１７】
＜無線機使用状況ファイルの管理＞
図３は、本発明の無線通信システムにおいて管理端末が管理する無線機使用状況ファイルの構成を示す図である。すなわち、本発明の無線通信システムは、管理端末６に無線機使用状況ファイルを管理させるために図３に示すような無線機使用状況ファイルを設けている。例えば、ソフトウェア無線機１のＣＨ１には設定済み無線名として「機能Ａ−１」が設定されているが、その無線機端末の使用状況は「未使用」となっている。また、ソフトウェア無線機１のＣＨ２には設定済み無線名として「機能Ｂ−１」が設定されており、無線端末２が使用中であることを表している。
【００１８】
＜端末情報ファイルの管理及び送信＞
図４は、本発明の無線通信システムにおいて管理端末が管理及び送信する端末情報ファイルの構成を示す図である。すなわち、本発明の無線通信システムは、管制端末６に対して、無線機情報ファイル６ａ及び無線機使用状況ファイル６ｂに基づいて無線機の端末情報ファイル６ｃを管理する機能を持たせている。本発明の無線通信システムでは、無線機情報ファイル６ａは、無線機の使用状況が変更されるたびに通信端末４ａ，４ｂ…４ｎに送信することによって、無線機の使用状況を通信端末側で確認することが可能となる。
【００１９】
また、本発明の無線通信システムは、通信端末４ａ，４ｂ…４ｎから使用したいソフトウェア無線機の機能を選択することができるように構成されている。図５は、本発明の無線通信システムにおいて、通信端末に表示されるソフトウェア無線機の機能の選択画面を示す図である。図５に示すように、通信端末４ａ，４ｂ…４ｎの画面から使用したい無線機名を選択することによってソフトウェア無線機に通信ソフトウェアをダウンロードし、通信を開始することができる。例えば、図５に示す通信端末の選択画面のように、機能Ａ−２は使用中であるが、機能Ｂ−１、機能Ｂ−２、機能Ｃ−１、及び機能Ｄ−１は使用可であるので、通信端末から使用可の機能のうちから所望の機能を選択してソフトウェア無線機と通信を開始することができる。
【００２０】
＜通信端末から無線機名を選択するフロー＞
次に、フローチャートを用いて通信端末からの無線機名を選択する時の処理の流れを説明する。図６は、本発明の無線通信システムにおいて通信端末からの無線機名を選択する処理の流れを示すフロー図である。まず、通信端末４ａによって使用したい無線名を選択して選択ボタンをクリックする（ステップＳ１）。すると、通信端末４ａから管理端末６へ使用したい無線名が通知される（ステップＳ２）。さらに、管理端末６からソフトウェア無線機１に対して、ダウンロードしたい通信プログラム名を指示する（ステップＳ３）。これによって、ソフトウェア無線機１は、通信ソフトウェアサーバ３から通信ソフトウェアをダウンロードする（ステップＳ４）。
【００２１】
次に、ソフトウェア無線機１はダウンロードを完了し、該当する無線機能の準備が完了した旨を管理端末６へ通知する（ステップＳ５）。これによって、管理端末６は端末情報ファイル６ｃを通信端末４ａ（実際には、各通信端末４ａ，４ｂ…４ｎ）に送信する（ステップＳ６）。すると、通信端末４ａは、端末情報ファイル６ｃ内に記述されている通信端末プログラムを起動する（ステップＳ７）。そして、通信端末４ａはソフトウェア無線機１と通信を開始する（ステップＳ８）。これによって、あらかじめ通信端末４ａ（実際には各通信端末４ａ，４ｂ…４ｎ）で通信プログラムを起動しておく必要がなくなる。
【００２２】
以上説明したように、本発明の無線通信システムは、ＬＡＮなどのネットワークを介して、ソフトウェア無線機、通信ソフトウェアサーバ、及び通信端末が接続された構成に、さらに管理端末を追加したものである。これによって、通信ソフトウェアサーバから通信ソフトウェアをソフトウェア無線機にダウンロードすることによって直ちに通信を行うことができる。また、本発明の無線通信システムは、通信端末から、ＬＡＮを介してソフトウェア無線機と接続することによって、通信端末から音声通信やデータ通信を行うことが出来る。
【００２３】
＜無線機における障害時通信継続のための切替制御＞
ところで、本発明の無線通信システムは、ソフトウェア無線機を含む多チャンネル無線機の通信モジュールに障害が発生したときには、直ちに健全な通信モジュールへの切り替えを行って通信障害を回避することができる。すなわち、本発明の無線通信システムは、無線機及びソフトウェア無線機の障害時にモジュールを切り替えることができるモジュール切替機能を備えている。以下、従来の無線機と対比しながら本発明の無線通信システムにおける無線機の構成を詳細に説明する。
【００２４】
図８は従来技術における最小構成の無線機の構成図である。１台の無線機１１は直列のシステム構成であるので、無線機１１内の通信モジュールに障害が発生すると無線機１１はその通信機能を停止してしまう。
【００２５】
そこで、このような状態を回避するために、無線機に現用系と予備系のモジュールを構成することができる。図９は従来技術において現用系と予備系のモジュールを有する無線機の構成図である。図９に示すように、無線機２１は現用系モジュール２１ａと予備系モジュール２１ｂが並列冗長された構成となっている。これによって、現用系モジュール２１ａが故障した場合は直ちに予備系モジュール２１ｂに切り替えられるので、図８の無線機１１の場合に比べて故障時のトラブル処理時間を短くすることができる。しかし、予備系モジュール２１ｂは常にスタンバイ状態にあるので、この予備系モジュール２１ｂを自由に活用することはできない。
【００２６】
つまり、図８に示すような直列システムの無線機１１の構成では信頼性が低く、また、図９に示すような並列システムの無線機２１の構成では予備系モジュールを自由に活用することができないという無線通信システムの使い勝手の悪さ（つまり、使用上の制約）がある。そこで、本発明の無線通信システムでは、通信モジュールの切替制御機能を用いることによって、通常運用時には複数の通信モジュールを複数の用途で用いて無線機システム全体を活用する。そして、通信に障害が発生した際には、重要度の高い用途の通信モジュールを優先して通信を継続させることにより、通信の運用効率とシステム全体の信頼性を両立させている。尚、特開２００２−７８０１２号公報などには優先度に応じて通信リソースを割り当てる技術が開示されており、特開平１１−１２７４７３号公報などには回線割り当てを行う装置で回線のログオン状態が検出されると自動的に別の回線への登録が行われる技術が開示されている。しかし、これらの公報の技術では依然として障害発生時における無線機の使い勝手の悪さは解消されていない。
【００２７】
そこで、本発明の無線通信システムでは、無線機のハードウェアリソースを用途や優先度に応じて制御するモジュール切替機能を備えることによって障害発生時における無線機の使い勝手の悪さを解消している。つまり、本発明の無線通信システムでは、複数のリソース（送受信手段）を備える無線機において、ある通信モジュールに障害が発生したときには優先度に応じてリソースの再割り当てを行うことによって容易に正常な通信モジュールへの切り替えが行えるようにしている。尚、このようなモジュール切替機能を持つ通信モジュールは、無線機に内蔵されていてもよいし、無線機の外部に配置されていてもよい。また、モジュール切替機能はハードウェアによって実現してもよいしソフトウェアによって実現してもよい。以下、モジュール切替機能を実現する無線機の実施例についてその幾つかを説明する。
【００２８】
〔モジュール切替機能を実現する無線機の実施例１〕
図１０は、本発明の無線通信システムによってモジュール切替機能を実現する実施例１の無線機の構成図である。図１０に示すように、第１の実施例の無線通信システムは、１つの無線機３１に複数の通信モジュール３１ａ，３１ｂ，３１ｃ，３１ｄが組み込まれ、さらに、これらの通信モジュール３１ａ，３１ｂ，３１ｃ，３１ｄを切り替えることができる切替判断モジュール３２を備えた構成となっている。そして、何れかの通信モジュールに障害が発生したときには切替判断モジュール３２によって良好な通信モジュールに切り替えられるようになっている。
【００２９】
本発明の無線通信システムでは、無線機３１の各通信モジュール３１ａ，３１ｂ，３１ｃ，３１ｄにそれぞれ用途が割り当てられていて、各通信モジュール３１ａ，３１ｂ，３１ｃ，３１ｄはそれぞれの用途に応じた通信を行っている。このとき、優先度の高い用途で使用している通信モジュールに障害が発生した場合、切替判断モジュール３２は、通信中でない優先度が最も低い用途に割り当てている通信モジュールに切り替え、その通信モジュールによって通信の継続を行うような切替制御を行う。尚、切替判断モジュール３２は、無線機３１の内側に配置してもよいし外側に配置してもよい。また、切替判断モジュール３２を無線機３１の外側に配置する場合はネットワーク上に配置してもよい。
【００３０】
図１１は、図１０に示す実施例１の無線機によるモジュール切替の例を表にした図である。図１１（ａ）に示すように、通信モジュール３１ａは「使用中」で優先順位が「１位」、かつ通信用途は「Ａ」となっている。通信モジュール３１ｂは「使用中」で優先順位が「２位」、かつ通信用途は「Ｂ」となっている。通信モジュール３１ｃは「未使用」で優先順位が「３位」、かつ通信用途は「Ｃ」となっている。通信モジュール３１ｄは「未使用」で優先順位が「４位」、かつ通信用途は「Ｄ」となっている。ここで、通信モジュール３１ａに通信障害が発生したとする。
【００３１】
すると、図１１（ｂ）に示すように、通信モジュール３１ａは「障害」が表示されて通信機能を停止する。このとき、通信用途が「Ｄ」であって優先順位の最も低い「４位」の通信モジュール３１ｄは「未使用」であって通信を行っていないため、切替判断モジュール３２は、直ちに、通信モジュール３１ａの通信用途「Ａ」の通信情報を通信モジュール３１ｄに切り替え、通信モジュール３１ｄによって通信用途「Ａ」の通信を継続させる。これによって、優先度の最も高い（優先順位１位の）通信モジュール３１ａの通信用途「Ａ」は遅滞なく通信モジュール３１ｄに引き継がれる。しかも、通信モジュール３１ｄは未使用中であったので切り替え時において何ら通信に障害を及ぼすことはない。さらに、通信モジュール３１ｄの通信用途「Ｄ」は優先順位が最も低いので、切り替え後に通信モジュール３１ｄに通信用途「Ｄ」による通信の必要性が発生したとしても、通信用途「Ａ」に比べて情報の優先度は低いので、無線機３１全体の通信情報の提供には殆ど影響を及ぼすことはない。
【００３２】
〔モジュール切替機能を実現する無線機の実施例２〕
図１２は、本発明の無線通信システムによってモジュール切替機能を実現する実施例２の無線機の構成図である。図１２に示すように、第２の実施例の無線通信システムによる無線機は、図１０に示す第１の実施例による無線機を複数台並列に接続して並列システムとして構成している。すなわち、１つの無線機４１（第１の機材）に複数の通信モジュール４１ａ，４１ｂが組み込まれ、別の無線機４１’（第２の機材）にも複数の通信モジュール４１ｃ，４１ｄが組み込まれ、さらに、これらの無線機４１、４１’及び通信モジュール４１ａ，４１ｂ，４１ｃ，４１ｄを切り替えることができる切替判断モジュール４２を備えた構成となっている。そして、何れかの通信モジュールに障害が発生したときには、切替判断モジュール４２の判断によって良好な無線機側の通信モジュールのうち優先度の低い通信モジュールに切り替えられるようになっている。切替判断モジュール４２による切替判断は、有線または無線によって無線機４１、無線機４１’を相互に通信させ、切替判断モジュールの一つをマスターモジュールとして使用する。そして、一つの切替判断モジュール４２を有線または無線で無線機に接続して制御を行うことによって故障時の通信モジュールの切り替えを実現している。
【００３３】
図１３は、図１２に示す実施例２の無線機によるモジュール切替の例を表にした図である。図１３（ａ）に示すように、通信モジュール４１ａは「使用中」で優先順位が「１位」、かつ通信用途は「Ａ」となっている。通信モジュール４１ｂは「使用中」で優先順位が「２位」、かつ通信用途は「Ｂ」となっている。通信モジュール４１ｃは「未使用」で優先順位が「３位」、かつ通信用途は「Ｃ」となっている。通信モジュール４１ｄは「未使用」で優先順位が「４位」、かつ通信用途は「Ｄ」となっている。ここで、通信モジュール４１ａに通信障害が発生したとすると、図１３（ｂ）に示すように、通信モジュール４１ａは「障害」が表示されて通信機能を停止する。このとき、通信用途が「Ｄ」であって優先順位の最も低い「４位」の通信モジュール４１ｄは「未使用」であって通信を行っていないため、切替判断モジュール４２は、直ちに、通信モジュール４１ａの通信情報を通信モジュール４１ｄに切り替え、通信モジュール４１ｄによって通信用途「Ａ」の通信を継続させる。これによって、優先度の最も高い（優先順位１位の）通信モジュール４１ａの通信用途「Ａ」は遅滞なく通信モジュール４１ｄに引き継がれる。
【００３４】
〔モジュール切替機能を実現する無線機の実施例３〕
図１４は、本発明の無線通信システムによってモジュール切替機能を実現する実施例３の無線機の構成図である。実施例３の無線機の構成が実施例２の無線機と異なるところは、ネットワーク５３上に複数の無線機５１，５１’を配置して通信モジュールを多重化している点である。それ以外の構成は図１２に示す実施例２の無線機の構成と同じであるのでその説明は省略する。尚、図１２に示す実施例２の構成の符号４０番台は、図１４に示す実施例３の構成では符号５０番台に読み替えて対比するものとする。また、切替判断モジュール５２による切替判断は、切替判断モジュール５２をネットワーク５３上で相互に通信させ、一つの切替判断モジュール５２をマスターとして使用する。そして、一つの切替判断モジュール５２をネットワーク５３上に配置して通信モジュールの切替制御を行う。
【００３５】
図１５は、図１４に示す実施例３の無線機によるモジュール切替の例を表にした図である。この場合は、通信モジュール５１ａに通信障害が発生したとき、優先順位が最も低くて未使用である通信モジュール５１ｄに通信系統を切り替える。その他の内容は図１３で述べた符号４０番台の内容を符号５０番台に読み替えればよいので、その説明は省略する。
【００３６】
尚、上記の実施例１乃至実施例３における障害時の故障検出と切替判断モジュールへの通知は、各通信モジュールが互いに一定周期で状態情報の交換を行う。そして、受信した状態情報に障害発生の内容が書かれている場合、状態情報が一定時間以上過ぎても来ない場合に故障が発生したと判断する。また、通信モジュールの切り替えに当ってはリソース情報を管理するモジュール内の情報を書き換えるものとする。さらに、登録情報の書き換え命令はＩＰデータなどによって行う。
【００３７】
〔本発明の無線機によるモジュール切替判断のフロー〕
図１６は、本発明の無線機によるモジュール切替判断の処理の流れを示すフローチャートである。まず、切替判断モジュールは、全ての通信モジュールについて制御可能なモジュール情報を取得してリストを作成する（ステップＳ１１）。そして、リストから障害のある通信モジュールを削除する（ステップＳ１２）。その後、切替判断モジュールは、通信用途が割り振られていないもの、及び優先度が低いものの順に通信モジュールのリストを並べ替える（ステップＳ１３）。そして、障害の発生した通信モジュールに設定されていた用途の優先度より、優先度の高い用途が割り振られている通信モジュールをリストから削除する（ステップＳ１４）。
【００３８】
このようにして優先度の高い用途が割り振られている通信モジュールを削除した結果、まだリストが残っているか否かを調べる（ステップＳ１５）。ここで、リストが残っていなければ（ステップＳ１５でＮｏの場合）、切替失敗として終了する。一方、リストが残っていれば（ステップＳ１５でＹｅｓの場合）、リスト数Ｎに１を加算する（ステップＳ１６）。尚、Ｎの初期値は０とする。次に、リストのＮ番目の通信モジュールを参照し（ステップＳ１７）、参照している通信モジュールが通信中であるか否かを調べる（ステップＳ１８）。ここで、参照している通信モジュールが通信中であれば（ステップＳ１８でＹｅｓの場合）、ステップＳ１５に戻ってリストが残っているか否かを調べ、以下前述のステップＳ１５乃至ステップＳ１８の手順を繰り返す。一方、ステップＳ１８で、参照している通信モジュールが通信中でなければ（ステップＳ１８でＮｏの場合）、参照している通信モジュールに切り替えて通信を行う（ステップＳ１９）。
【００３９】
以上述べたように、本発明の無線通信システムにおける無線機の構成によれば、ソフトウェア無線機を含む多チャンネルの無線機において、通信モジュールが故障した際には用途の優先度などに応じてハードウェアリソースを割り当てることができるシステムを構築することができる。また、ソフトウェア無線機を含む複数の無線機を有線または無線で相互に連絡させることによって、通信モジュールが故障した際には用途の優先度などに応じてハードウェアリソースを割り当てることができるシステムを構築することができる。
【００４０】
さらに、少数の制御機から有線または無線によってソフトウェア無線機を含む複数の無線機を制御することによって、無線機が故障した際には用途の優先度などに応じてハードウェアリソースを割り当てることができるシステムを構築することができる。また、ネットワーク上に配置されたソフトウェア無線機を含む無線機を相互に連絡させることによって、通信モジュールに故障した際には用途の優先度などに応じてハードウェアリソースを割り当てることができるシステムを構築することができる。さらに、ネットワーク上に配置された少数の制御機から、有線または無線によってソフトウェア無線機を含む複数の無線機を制御することによって、無線機が故障した際には用途の優先度などに応じてハードウェアリソースを割り当てることができるシステムを構築することができる。
【００４１】
また、ソフトウェア無線機を含む複数の無線機を有線または無線で相互に連絡させることにより、一つの大きな無線機システムとして運用できるシステムを構築することができる。さらに、ソフトウェア無線機を含む複数の無線機からなる無線機システムにおいて、運用中に特定の無線機の切り離したり追加したりすることができるシステムを構築することができる。これによって、柔軟で信頼性の高い無線機システムを組むことができると共に無線機を追加することによって多チャンネルの無線機システムとして運用することができる。また、通信モジュールに故障が発生した際にも重要な通信に影響を与えずに修理や交換を行うことができるので通信の運用に影響を与えることがない。これによって、通信の運用が停止することによる損失を防ぐことができると共に、単純な待機系システムに比べてハードウェアリソースを有効に活用することができる。
【図面の簡単な説明】
【００４２】
【図１】本発明における無線通信システムの構成を示すブロック図である。
【図２】本発明の無線通信システムにおいて管理端末に作成・保存される無線機情報ファイルの構成を示す図である。
【図３】本発明の無線通信システムにおいて管理端末が管理する無線機使用状況ファイルの構成を示す図である。
【図４】本発明の無線通信システムにおいて管理端末が管理及び送信する端末情報ファイルの構成を示す図である。
【図５】本発明の無線通信システムにおいて、通信端末に表示されるソフトウェア無線機の機能の選択画面を示す図である。
【図６】本発明の無線通信システムにおいて通信端末からの無線機名を選択する処理の流れを示すフロー図である。
【図７】従来の無線通信システムの構成を示すブロック図である。
【図８】従来技術における最小構成の無線機の構成図である。
【図９】従来技術において現用系と予備系のモジュールを有する無線機の構成図である。
【図１０】本発明の無線通信システムによってモジュール切替機能を実現する実施例１の無線機の構成図である。
【図１１】図１０に示す実施例１の無線機によるモジュール切替の例を表にした図である。
【図１２】本発明の無線通信システムによってモジュール切替機能を実現する実施例２の無線機の構成図である。
【図１３】図１２に示す実施例２の無線機によるモジュール切替の例を表にした図である。
【図１４】本発明の無線通信システムによってモジュール切替機能を実現する実施例３の無線機の構成図である。
【図１５】図１４に示す実施例３の無線機によるモジュール切替の例を表にした図である。
【図１６】本発明の無線機によるモジュール切替判断の処理の流れを示すフローチャートである。
【符号の説明】
【００４３】
１，２  ソフトウェア無線機、３  通信ソフトウェアサーバ、４ａ，４ｂ…４ｎ  通信端末、５  ＬＡＮ、６  管理端末、６ａ  無線機情報ファイル、６ｂ  無線機使用状況ファイル、６ｃ  端末情報ファイル、１１，２１，３１，４１，４１’，５１，５１’  無線機、２１ａ  現用系モジュール、２１ｂ  予備系モジュール、３１ａ，３１ｂ，３１ｃ，３１ｄ，４１ａ，４１ｂ，４１ｃ，４１ｄ，５１ａ，５１ｂ，５１ｃ，５１ｄ  通信モジュール、３２，４２，５３  切替判断モジュール、５３  ネットワーク。
【図１】
2005151488.tif 000003
【図２】
2005151488.tif 000004
【図３】
2005151488.tif 000005
【図４】
2005151488.tif 000006
【図５】
2005151488.tif 000007
【図６】
2005151488.tif 000008
【図７】
2005151488.tif 000009
【図８】
2005151488.tif 000010
【図９】
2005151488.tif 000011
【図１０】
2005151488.tif 000012
【図１１】
2005151488.tif 000013
【図１２】
2005151488.tif 000014
【図１３】
2005151488.tif 000015
【図１４】
2005151488.tif 000016
【図１５】
2005151488.tif 000017
【図１６】
2005151488.tif 000018